(57)【要約】【課題】画面表示部及び入力部の両方が互いに利用者側の前面の表面積を取り合うことなく、指圧の押下による人間の自然物理的な操作感覚を得られる情報機器を提供する。【解決手段】情報機器は、押下型入力部と表示制御部とを有する。押下型入力部は、指が接触する押下面と、押下面の物理的押下を検出する押下検出部と、押下面の表面における指の位置の近接状態を検知するセンサとを有する。押下型入力部は、画面表示部が目視されている際にその視界の中で目視されない面に配置される。表示制御部は、画面表示部に、押下面の各位置の機能イメージを表示すると共に、各機能イメージが対応付けられた機能ポジションに指が近接しているかを特定表示する。【選択図】図１
2010272111.tif 000002
【特許請求の範囲】
【請求項１】
画面表示部と、
指が接触する押下面と、該押下面の物理的押下を検出する押下検出部と、前記押下面の表面における指の位置の近接状態を検知するセンサとを有し、前記画面表示部が目視されている際にその視界の中で目視されない面に配置された押下型入力部と、
前記画面表示部に、前記押下面の各位置の機能イメージを表示すると共に、各機能イメージが対応付けられた機能ポジションに前記指が近接しているかを特定表示する表示制御部と
を有することを特徴とする情報機器。
【請求項２】
前記押下型入力部は、キーボードであり、
前記表示制御部が前記画面表示部に表示する前記機能イメージは、キーの機能イメージであることを特徴とする請求項１に記載の情報機器。
【請求項３】
前記押下型入力部は、弾性部を介して面全体の押下が可能なタッチパッドであり、
前記表示制御部が前記画面表示部に表示する前記機能イメージは、前記押下面の各位置の機能イメージであることを特徴とする請求項１に記載の情報機器。
【請求項４】
前記押下型入力部は、前記画面表示部の背面、側面及び／又は角部分に配置されていることを特徴とする請求項１から３のいずれか１項に記載の情報機器。
【請求項５】
前記押下型入力部が、前記画面表示部に対する背面に配置されている場合、
前記表示制御部は、機能ポジションと同じ配置構成の機能イメージを、前記画面表示部に表示すると共に、
前記押下面に割り当てられた機能ポジションと、前記画面表示部に表示される機能イメージとは、鏡面関係にあることを特徴とする請求項４に記載の情報機器。
【請求項６】
前記押下型入力部が、前記画面表示部に対する側面又は角部分に配置されている場合、
前記表示制御部は、前記画面表示部の範囲の中で前記機能ポジションに近い位置に機能イメージが表示されるように前記画面表示部を制御することを特徴とする請求項４に記載の情報機器。
【請求項７】
前記表示制御部は、前記機能ポジションを縮小して表した機能イメージが表示されるように前記画面表示部を制御することを特徴とする請求項１から６のいずれか１項に記載の情報機器。
【請求項８】
前記機能ポジション及び前記機能イメージは、キーボードのＱＷＥＲＴＹ配列であり、
前記表示制御部は、前記ＱＷＥＲＴＹ配列のキーボードイメージを前記画面表示部に表示し、指が近接しているキーを視覚的に特定表示する
ることを特徴とする請求項１から７のいずれか１項に記載の情報機器。
【請求項９】
前記表示制御部は、動作しているアプリケーションに応じて、機能ポジションと機能イメージとの割り当てを変更することができることを特徴とする請求項１から８のいずれか１項に記載の情報機器。
【請求項１０】
前記表示制御部は、動作しているアプリケーションに応じて、利用されない機能ポジションを前記画面表示部に表示しないように制御することを特徴とする請求項１から９のいずれか１項に記載の情報機器。
【請求項１１】
縦型に把持されているか又は横型に把持されているかを検知する姿勢センサを更に有し、
前記表示制御部は、前記姿勢センサによって検知された保持の向きに応じて、機能ポジションと機能イメージとの割り当てを変更する
ことを特徴とする請求項１から１０のいずれか１項に記載の情報機器。
【請求項１２】
前記情報機器は、折り畳み式であって、
前記画面表示部は、折り畳んだ際の内側又は外側に配置され、
前記押下型入力部は、折り畳んだ際の外側又は内側に配置される
ことを特徴とする請求項１から１１のいずれか１項に記載の情報機器。
【請求項１３】
画面表示部と、前記画面表示部が目視されている際にその視界の中で目視されない面に配置された押下型入力部とを有する情報機器の入力方法であって、
前記画面表示部に、前記押下型入力部における押下面の各位置の機能イメージを表示する第１のステップと、
前記押下面の表面におけるセンサによって、指の位置の近接状態を検知する第２のステップと、
前記画面表示部に、前記機能イメージが対応付けられた機能ポジションに指が近接しているかを特定表示する第３のステップと、
前記押下面に対する指圧によって、該押下面の物理的押下を検出する第４のステップと、
指が近接している機能ポジションに対応付けられた機能イメージに基づく機能を実行する第５のステップと
を有することを特徴とする情報機器を用いた入力方法。
【請求項１４】
画面表示部と、前記画面表示部が目視されている際にその視界の中で目視されない面に配置された押下型入力部とを有する情報機器に搭載されたコンピュータを機能させるプログラムであって、
前記画面表示部に、前記押下型入力部における押下面の各位置の機能イメージを表示する第１のステップと、
前記押下面の表面におけるセンサによって、指の位置の近接状態を検知する第２のステップと、
前記画面表示部に、前記機能イメージが対応付けられた機能ポジションに指が近接しているかを特定表示する第３のステップと、
前記押下面に対する指圧によって、該押下面の物理的押下を検出する第４のステップと、
指が近接している機能ポジションに対応付けられた機能イメージに基づく機能を実行する第５のステップと
してコンピュータを実行させることを特徴とする情報機器用のプログラム。
【発明の詳細な説明】
【技術分野】
【０００１】
本発明は、ユーザインタフェースとしての画面表示部及び入力部を備えた情報機器に関する。
【背景技術】
【０００２】
近年、携帯電話機、スマートフォン、ＰＤＡ(Personal Digital Assistant)、電子辞書機器、電子書籍、スマートブック、ネットブックのように様々な機種の携帯型情報機器が普及している。このような携帯型情報機器は、ユーザインタフェースとして、ディスプレイのような画面表示部と、キーボードやタッチパッドのような入力部とを備え、様々なアプリケーションソフトウェアを実行させることができる。例えば携帯電話機の場合、液晶ディスプレイ及びテンキーボードを備え、ＯＳ(Operating System)によってパーソナルコンピュータと同様に汎用的に機能する。
【０００３】
携帯型情報機器は、デスクトップ型パーソナルコンピュータのような設置型情報機器と比較して、構造的な制約を余儀なくされる。携帯型情報機器は、携帯性を高めるべく、機器全体の容積の小型化を必要とする。その結果、機器の表面積が小さくなるために、画面表示部としてのディスプレイのサイズも小さくしなければならず、利用者から見た視認性が乏しくなる。同様に、入力部としてのキーボードやタッチパッドのサイズも小さくしなければならないために、操作性も劣ってしまう。例えば携帯電話機に搭載されるテンキーボードは、キートップのサイズをできる限り小さくし、且つ、キーの間隔もできる限り狭くすることを要する。
【０００４】
これに対し、近年、画面表示部及び入力部を一体化したタッチパネルディスプレイも普及してきている（例えば特許文献１参照）。タッチパネルディスプレイは、利用者がディスプレイに指（又はスタイラスペン）で触れることによって、様々な情報を入力し且つ機器を操作することができる。この場合、携帯型情報機器における利用者側前面に、タッチパネルディスプレイを配置することができ、利用者から見た視認性も優れる。また、アプリケーションによって様々な機能の仮想ボタンを、ディスプレイ上に仮想的に構成することができる。そのために、物理的なキーボードの設置を省略できると共に、その分だけディスプレイの面積を広げることができる。
【０００５】
利用者側前面に、ディスプレイと、タッチパネルディスプレイの２つを備えた小型電子機器もある（例えば特許文献２参照）。また、利用者側前面にディスプレイを備え、背面にタッチパネルを備えることによって、片手で操作可能とする小型電子機器もある（例えば特許文献３参照）。
【０００６】
更に、タッチパネルディスプレイについて、操作面を内部方向へ所定ストロークだけ沈ませることによって、利用者に押下操作感覚を与える技術もある（例えば特許文献４参照）。この技術によれば、ディスプレイを利用者側前面に配置し、そのディスプレイの背後に利用者側の向きにタッチパネルを配置する。
【先行技術文献】
【特許文献】
【０００７】
【特許文献１】特開２００５−２６６９６８号公報
【特許文献２】ＷＯ２００５／０９１１１７
【特許文献３】特開２００２−３１８６４０号公報
【特許文献４】特開２００８−１７１４４０号公報
【非特許文献】
【０００８】
【非特許文献１】京セラ、「快適操作スムースタッチ」、[online]、［平成２１年４月２０日検索］、インターネット＜URL:http://www.sanyo-keitai.com/au/w54sa/feature/smooth.shtml＞
【非特許文献２】Microsoft Research、「機器の背面に置いた指で画面操作が可能な新UIを披露」、[online]、［平成２１年４月２０日検索］、インターネット＜URL:http://techon.nikkeibp.co.jp/article/NEWS/20080305/148529/＞
【非特許文献３】スムースタッチ、「手書きで操作はこう変わる──開発陣に聞くW42SA」、[online]、［平成２１年４月２０日検索］、インターネット＜URL:http://plusd.itmedia.co.jp/mobile/articles/0609/05/news010.html＞
【発明の概要】
【発明が解決しようとする課題】
【０００９】
携帯型情報機器における画面表示部と入力部とのサイズの問題は、２つのユーザインタフェースが共に、利用者の前面に搭載する必要があることに基づく。画面表示部及び入力部の両方が、利用者側前面の表面積を取り合うためである。
【００１０】
また、タッチパネルディスプレイの場合、ディスプレイ自体に指やペンで触れるために、指による指紋跡や、ペンによる傷も、利用者の視認性に不快感を与える。また、タッチパネルディスプレイでは、画面上に表示された仮想ボタンを操作するために、指の押下による機械的な反応も返らない。そのために、人間の自然物理的な操作感覚も得られない。尚、仮想ボタンの押下時に、例えばバイブレータのような二次的な反応を作り出す装置もある。しかし、機械的専用部品を搭載するために、機器の容積を増加させると共に、コスト及び消費電力も増加させてしまう。
【００１１】
そこで、本発明は、画面表示部及び入力部の両方が互いに利用者側の前面の表面積を取り合うことなく、指圧の押下による人間の自然物理的な操作感覚を得られる情報機器、入力方法及びプログラムを提供することを目的とする。
【課題を解決するための手段】
【００１２】
本発明によれば、
画面表示部と、
指が接触する押下面と、該押下面の物理的押下を検出する押下検出部と、押下面の表面における指の位置の近接状態を検知するセンサとを有し、画面表示部が目視されている際にその視界の中で目視されない面に配置された押下型入力部と、
画面表示部に、押下面の各位置の機能イメージを表示すると共に、各機能イメージが対応付けられた機能ポジションに指が近接しているかを特定表示する表示制御部と
を有することを特徴とする。
【００１３】
本発明の情報機器における他の実施形態によれば、押下型入力部は、キーボードであり、表示制御部が画面表示部に表示する機能イメージは、キーの機能イメージであることも好ましい。
【００１４】
本発明の情報機器における他の実施形態によれば、押下型入力部は、弾性部を介して面全体の押下が可能なタッチパッドであり、表示制御部が画面表示部に表示する機能イメージは、押下面の各位置の機能イメージであることも好ましい。
【００１５】
本発明の情報機器における他の実施形態によれば、押下型入力部は、画面表示部の背面、側面及び／又は角部分に配置されていることも好ましい。
【００１６】
本発明の情報機器における他の実施形態によれば、押下型入力部が、画面表示部に対する背面に配置されている場合、表示制御部は、機能ポジションと同じ配置構成の機能イメージを、画面表示部に表示すると共に、押下面に割り当てられた機能ポジションと、画面表示部に表示される機能イメージとは、鏡面関係にあることも好ましい。
【００１７】
本発明の情報機器における他の実施形態によれば、押下型入力部が、画面表示部に対する側面又は角部分に配置されている場合、表示制御部は、画面表示部の範囲の中で機能ポジションに近い位置に機能イメージが表示されるように画面表示部を制御することも好ましい。
【００１８】
本発明の情報機器における他の実施形態によれば、表示制御部は、機能ポジションを縮小して表した機能イメージが表示されるように画面表示部を制御することも好ましい。
【００１９】
本発明の情報機器における他の実施形態によれば、機能ポジション及び機能イメージは、キーボードのＱＷＥＲＴＹ配列であり、表示制御部は、ＱＷＥＲＴＹ配列のキーボードイメージを画面表示部に表示し、指が近接しているキーを視覚的に特定表示することも好ましい。
【００２０】
本発明の情報機器における他の実施形態によれば、表示制御部は、動作しているアプリケーションに応じて、機能ポジションと機能イメージとの割り当てを変更することができることも好ましい。
【００２１】
本発明の情報機器における他の実施形態によれば、表示制御部は、動作しているアプリケーションに応じて、利用されない機能ポジションを画面表示部に表示しないように制御することも好ましい。
【００２２】
本発明の情報機器における他の実施形態によれば、縦型に把持されているか又は横型に把持されているかを検知する姿勢センサを更に有し、表示制御部は、姿勢センサによって検知された保持の向きに応じて、機能ポジションと機能イメージとの割り当てを変更する
ことも好ましい。
【００２３】
本発明の情報機器における他の実施形態によれば、
情報機器は、折り畳み式であって、
画面表示部は、折り畳んだ際の内側又は外側に配置され、
押下型入力部は、折り畳んだ際の外側又は内側に配置されることも好ましい。
【００２４】
本発明によれば、画面表示部と、画面表示部が目視されている際にその視界の中で目視されない面に配置された押下型入力部とを有する情報機器の入力方法であって、
画面表示部に、押下型入力部における押下面の各位置の機能イメージを表示する第１のステップと、
押下面の表面におけるセンサによって、指の位置の近接状態を検知する第２のステップと、
画面表示部に、機能イメージが対応付けられた機能ポジションに指が近接しているかを特定表示する第３のステップと、
押下面に対する指圧によって、該押下面の物理的押下を検出する第４のステップと、
指が近接している機能ポジションに対応付けられた機能イメージに基づく機能を実行する第５のステップと
を有することを特徴とする。
【００２５】
本発明によれば、画面表示部と、画面表示部が目視されている際にその視界の中で目視されない面に配置された押下型入力部とを有する情報機器に搭載されたコンピュータを機能させるプログラムであって、
画面表示部に、押下型入力部における押下面の各位置の機能イメージを表示する第１のステップと、
押下面の表面におけるセンサによって、指の位置の近接状態を検知する第２のステップと、
画面表示部に、機能イメージが対応付けられた機能ポジションに指が近接しているかを特定表示する第３のステップと、
押下面に対する指圧によって、該押下面の物理的押下を検出する第４のステップと、
指が近接している機能ポジションに対応付けられた機能イメージに基づく機能を実行する第５のステップと
してコンピュータを実行させることを特徴とする。
【発明の効果】
【００２６】
本発明の情報機器、入力方法及びプログラムによれば、利用者によって目視されない面に、利用者の指で操作可能な押下型入力部を備えることによって、画面表示部及び入力部の両方が互いに利用者側の前面の表面積を取り合うことなく、指圧の押下による人間の自然物理的な操作感覚を得られる。利用者は、両手でキーボード又はタッチパッドを操作することができ、ＱＷＥＲＴＹ配列のキーボードやポインティングデバイスに近い入力操作感覚を得ることができる。
【図面の簡単な説明】
【００２７】
【図１】キーボードを備えた携帯型情報機器の前面図、背面図及び断面図である。
【図２】キーボードを備えた携帯型情報機器における入力操作の外観図である。
【図３】タッチパッドを備えた携帯型情報機器の前面図、背面図及び断面図である。
【図４】タッチパッドを備えた携帯型情報機器における入力操作の外観図である。
【図５】押下型入力部を側面又は角部分に備えた携帯型情報機器の斜視図及び入力操作の外観図である。
【図６】トラックポイントを用いた入力操作の外観図である。
【図７】異なるキーボードイメージを表示した入力操作の外観図である。
【図８】折り畳み式の携帯型情報機器における入力操作の外観図である。
【図９】携帯電話機における入力操作の外観図である。
【図１０】本発明におけるウェアラブル機器の外観図である。
【図１１】情報機器に対する入力方法のフローチャートである。
【発明を実施するための形態】
【００２８】
以下、本発明の実施の形態について、図面を用いて詳細に説明する。
【００２９】
本発明が対照とする情報機器は、利用者の手の指圧によって情報が入力される。従って、携帯型であるのが好ましいが、設置型情報機器に対するユーザインタフェース装置であってもよい。尚、以下では、スマートフォンや携帯電話機のような携帯型情報機器として説明する。
【００３０】
本発明の携帯型情報機器は、ディスプレイのような画面表示部と、キーボード又はタッチパッドのような押下型入力部とを有する。画面表示部は、利用者によって目視されている際にその視界の中で目視される面、例えば前面に配置される。一方で、押下型入力部は、画面表示部が利用者によって目視されている際にその視界の中で目視されない面、例えば背面、側面又は角部分に配置される。本発明の特徴は、このような押下型入力部の配置位置にある。
【００３１】
以下では、押下型入力部が、「キーボード」である実施形態と、「タッチパッド」である実施形態とに大きく分けて説明する。図１及び図２は、「キーボード」の実施形態について説明し、図３及び図４は、「タッチパッド」の実施形態について説明する。また、図５〜図１０は、押下型入力部はいずれであってもよいが、説明を容易にするために「キーボード」のみについて説明する。
【００３２】
図１は、キーボードを備えた携帯型情報機器の前面図、背面図及び断面図である。
【００３３】
図１（ａ）は、本発明におけるキーボードを備えた携帯型情報機器の前面図である。この前面図によれば、携帯型情報機器１は、一般的なスマートフォン又はＰＤＡ（いわゆるパームトップ型）の形状をしている。携帯型情報機器１の本体は、金属又は合成樹脂からなり、利用者が両手（勿論、片手であってもよい）で把持できる程度のサイズとなっている。また、携帯型情報機器１は、利用者側前面の表面積の大部分がディスプレイ（画面表示部）１０で占有されている。ディスプレイ１０には、機能イメージ１００が表示されている。機能イメージとしては、例えばキーボードイメージや、アプリケーションのボタンイメージがある。パーソナルコンピュータ用のＯＳにおけるユーザインタフェースのアイコンのようなものである。利用者は、機能イメージを押下するように操作する。
【００３４】
キーボードイメージ１００として、ＱＷＥＲＴＹ配列のキーが表示されている。ＱＷＥＲＴＹ配列は、ラテン文字が刻印されたキーボードにおける事実上の標準としてのキー配列である。キーボードとしては、現在のところ、パーソナルコンピュータのＱＷＥＲＴＹ配列として両手で操作するフルキーボードが最も普及した結果、この入力操作が最も広く一般に入力しやすいキーボードとなっている。これに対し、例えば携帯電話機の場合、利用者は、片手で把持し且つその手の親指でキーを押下する。本発明は、キーボードの入力操作のしやすさを求めるべく、利用者は、両手（又は片手）で把持してＱＷＥＲＴＹ配列のキーを押下する。
【００３５】
図１（ｂ）は、本発明におけるキーボードを備えた携帯型情報機器の背面図である。この背面図によれば、携帯型情報機器１の背面に、ディスプレイ１０に表示されたキーボードイメージ１００とほぼ同じ配置のキーボード（押下型入力部）１１が備えられている。本発明によれば、キーボード１１は、ディスプレイ１０が利用者によって目視されている際にその視界の中で目視されない面に配置される。
【００３６】
図１（ｂ）によれば、ディスプレイ１０に表示されたキーボードイメージ１００のＱＷＥＲＴＹ配列のキーに対応して、キーボード１１は、ＱＷＥＲＴＹ配列のキーを配置している。各キーは、機能イメージに対応しており、「機能イメージに対応する機能ポジション」とする。注目すべきは、背面に配置されたキーボード１１のキー配列と、ディスプレイ１０に表示されたキーボードイメージ１００のキー配列とが、鏡面関係にあることである。尚、図１（ｂ）によれば、トラックポイント１２も配置されている。これによって、アプリケーションイメージ１０１に対するポインティング操作も、背面から操作可能となる。
【００３７】
図１（ｃ）は、本発明におけるキーボードを備えた携帯型情報機器の断面図である。この断面図によれば、携帯型情報機器１は、キートップ１１１と、押下検出部１１２と、タッチセンサ１１３と、保護膜１１４と、表示制御部１１５と、姿勢（加速度）センサ１１６とを有する。ここで、表示制御部１１５は、携帯型情報機器に搭載されたコンピュータを機能させるプログラムを実行することによって実現される。
【００３８】
キートップ１１１は、キー毎に配列された凸状の物理的形状を持ったボタン（押下面）である。利用者の指は、キートップに対して指圧を加える。
【００３９】
押下検出部１２は、キートップ（押下面）１１１に連結し且つ各キーへの物理的押下を検出する。物理的な押下検出部１１２は、基板と一体に構成されていてもよい。
【００４０】
タッチセンサ１１３は、キートップ１１１の表面に備えられ、各キー（押下面）への指の近接状態を検知する（例えば非特許文献１及び３参照）。近接状態とは、指がキーに触れているか、又は、指とキーとが静電気を受ける程度に離れた状態をいう。尚、以下では、「指の触れ」とは、近接状態であるとして説明する。
【００４１】
タッチセンサ１１３は、例えば静電型センサ、抵抗膜型センサ、又は、光学型若しくは熱型センサがある。タッチセンサ１１３によって検出された指の触れの信号は、表示制御部１１５へ出力される。
【００４２】
保護膜１１４は、タッチセンサ１１３を、指から保護すると共に、例えば指によって生じる静電気をタッチセンサ１１３へ、そのまま通電する。
【００４３】
表示制御部１１５は、キーボードの各キーの機能イメージをディスプレイに表示する。このとき、背面に配置されたキーボードの配置とほぼ同じ配置のキーボードイメージを、ディスプレイに表示する。また、位置もほぼ同じであることが好ましい。利用者は、ディスプレイに表示されたキーの直ぐ真裏の背面に、そのキーが存在すると認識することができる。尚、表示制御部１１５は、背面に配置されたキーボードを縮小したキーボードイメージを、ディスプレイに表示することも好ましい。これにより、ディスプレイ１０に占有するアプリケーションイメージ１０１の範囲をできる限り広くすることができる。
【００４４】
また、表示制御部１１５は、タッチセンサ１１３から受信した信号に基づいて、指が触れたキー（機能ポジション）を、ディスプレイに特定表示する。ディスプレイに表示されたキーに、視覚的な接触ポイントを表示することによって、利用者は、指が触れたキーを認識することができる。
【００４５】
更に、表示制御部１１５は、動作しているアプリケーションに応じて、キーボードのキーの機能割り当てを変更することができる。利用者は、ディスプレイに表示されたキーの機能のみに注目しており、背面のキーを意識していないからである。従って、背面の物理的なキーのキートップには、キーの割り当てが印刷される必要が無い。
【００４６】
ここで、表示制御部１１５は、動作しているアプリケーションに応じて、利用されない無効キー部分をディスプレイに表示しないように制御することも好ましい。これにより、ディスプレイ１０に占有するアプリケーションイメージ１０１の範囲をできる限り広くすることができる。
【００４７】
更に、表示制御部１１５は、姿勢センサ１１６によって検知された保持の向きに応じて、キーボードのキーの機能割り当てを変更することも好ましい。利用者に対する携帯型情報機器１の向きによっては、キーボードに触れる指の位置も異なるからである。例えば、把持の姿勢を横にすれば両手を使って操作ができ、縦にすれば片手を使って操作ができるように、キーボードのキーの機能割り当てを変更することができる。
【００４８】
姿勢センサ１１６は、例えば加速度センサ（例えば半導体式）であって、携帯型情報機器の上下方向を検出することができる。３軸の検出値から、地球の重力加速度を計測することができ、携帯型情報機器の傾きを検出することができる。
【００４９】
図２は、キーボードを備えた携帯型情報機器における入力操作の外観図である。押下型入力部としてのキーボードは、ディスプレイの背面、側面又は角部分に配置される。
【００５０】
図２（ａ）は、入力操作時における携帯型情報機器の前面図である。この前面図によれば、携帯型情報機器１は、利用者の手の平及び親指によって把持される。また、ディスプレイ１０には、ＱＷＥＲＴＹ配列のキーボードイメージが表示されている。
【００５１】
利用者が、背面のキーボードのいずれかのキーに指を触れると、ディスプレイ１０に表示されたそのキーが視覚的に特定表示される。例えば、赤丸で、接触ポイント１０２が表される。これによって、利用者は、指がどのキーに触れているかを視覚的に知ることができる。
【００５２】
指が触れている時点では、キーは押下されていない。そのために、キーに割り当てられた情報も入力されていない。次に、利用者は、ディスプレイ１０に表示された接触ポイント１０２を見ながら、所望キーを物理的に押下することによって、そのキーの割り当て情報を入力することができる。
【００５３】
このように、タッチセンサから得られた情報は、キーボードへの指の接触位置を利用者に提示する目的だけのために専ら利用される。従って、実際のキー入力には、物理的キーボードが用いられる。これにより、利用者に対して自然物理的な操作感覚（入力における機械的反応）を与えることが可能となり、入力の操作性を向上させることができる。
【００５４】
例えば非特許文献２及び特許文献３のように、機器の背面にタッチパネルを備える既存の技術がある。この技術によれば、視認性への不快感は解消できるが、結局、自然物理的な操作感覚までは得られない。タッチパネルは、キー入力操作機能と表示機能との両方を備えた技術である。これに対し、本発明は、タッチセンサとキーボードとを組み合わせることによって、指の触れをタッチセンサで検出し、実際のキー入力は物理的なキーボードで操作する。
【００５５】
図２（ｂ）は、入力操作時における携帯型情報機器の背面図である。この背面図によれば、キーボード１１は、利用者の親指以外の指（人差し指、中指、薬指及び／又は小指）によって触れ且つ押下される。勿論、親指によって操作されるものであってもよい（図５によって後述する）。ここで、背面に備えられるキーボード１１のキートップに、その割り当て機能の表示が印刷されている必要はない。利用者は、ディスプレイ１０に表示されたキーボードイメージ１００のみを見ており、背面に配置されたキーボード自体を見ていないからである。即ち、押下型入力部は、ディスプレイ１０が利用者によって目視されている際にその視界の中で目視されない面に配置されているからである。
【００５６】
図３は、タッチパッドを備えた携帯型情報機器の前面図、背面図及び断面図である。押下型入力部としてのタッチパッドは、ディスプレイの背面、側面又は角部分に配置される。
【００５７】
図３は、図１と比較して、押下型入力部がタッチパッドである点のみが相違する。図３（ｂ）には、携帯型情報機器の背面にタッチパネル１１が備えられている。タッチパネル１１には、各位置に機能ポジションが割り当てられており、その機能ポジションは、ディスプレイ１０に表示された機能イメージに対応付けられている。尚、図１と同様に、タッチパネルの機能ポジションの位置と、ディスプレイの機能イメージの位置とは、鏡面関係にある。
【００５８】
図３（ｃ）は、図３（ｂ）における携帯型情報機器の断面図である。この断面図によれば、携帯型情報機器１は、図１（ｃ）と比較して、弾性部１１７を備えている点のみが相違する。
【００５９】
弾性部１１７は、タッチパッド１１３と押下検出部１１２との間に配置されている。弾性部１１７は、タッチパッドへの指圧により、圧力変動を生じる。弾性部１１７の圧力変動は、押下検出部１１２全体にかかる。
【００６０】
押下検出部１２は、弾性部１１７に連結し、タッチパッド１１３の物理的押下を検出する。図１（ｃ）と同様に、物理的な押下検出部１１２は、基板と一体に構成されていてもよい。
【００６１】
タッチパッド１１３は、表面にセンサを備えており、タッチパッドへの指の近接状態を検知する。タッチパッド１１３のセンサは、図１（ｃ）のタッチセンサ１１３と同様に機能する。タッチパッド１１３によって検出された指の触れの信号は、表示制御部１１５へ出力される。
【００６２】
その他の構成要素については、図１（ｃ）と同様に機能する。
【００６３】
図４は、タッチパッドを備えた携帯型情報機器における入力操作の外観図である。押下型入力部としてのタッチパッドは、ディスプレイの背面、側面及び／又は角部分に配置される。
【００６４】
図５は、押下型入力部を側面及び角部分に備えた携帯型情報機器の斜視図及び入力操作の外観図である。
【００６５】
図５（ａ）の斜視図によれば、携帯型情報機器の側面及び角部分に、押下型入力部としてのキーが配置されている。ここで、表示制御部１１５は、機能ポジション（キー）が側面又は角部分に配置されている場合、ディスプレイ１０の範囲の中で機能ポジションに近い位置に機能イメージが表示される。図５（ａ）によれば、機能イメージは、ディスプレイ１０の側部に表示される。また、図５（ｂ）によれば、携帯型情報機器の側面又は角部分に配置されたキーが、親指で操作されている。更に、図５（ｃ）によれば、携帯型情報機器の側面又は角部分に配置されたキーが、人差し指で操作されている。このように、側面又は角部分に配置されたキーは、いずれの指であっても操作可能となる。
【００６６】
図６は、トラックポイントを用いた入力操作の外観図である。
【００６７】
図６（ａ）は、トラックポイント操作時における携帯型情報機器の前面図である。この前面図によれば、携帯型情報機器のトラックポイントの操作に基づくポインタが、ディスプレイ１０のアプリケーションイメージ１０１に、ポインタイメージ１０３として表される。
【００６８】
図６（ｂ）は、トラックポイント操作時における携帯型情報機器の背面図である。この背面図によれば、トラックポイントは、利用者の人差し指によって操作されている。
【００６９】
図７は、異なるキーボードイメージを表示した入力操作の外観図である。
【００７０】
図７によれば、ディスプレイ１０に表示されるべきキーボードイメージ１００を縮小して表示している。ディスプレイ１０に占有するキーボードイメージ１００の範囲をできる限り小さくすることによって、ディスプレイ１０のアプリケーションイメージ１０１の範囲を広くする。背面に配置されたキーボードの位置と、ディスプレイ１０に表示されたキーボードイメージ１００の位置とは、必ずしも一致していなくても、利用者からの操作性は維持される。
【００７１】
図８は、折り畳み式の携帯型情報機器における入力操作の外観図である。
【００７２】
図８によれば、携帯型情報機器１は、ヒンジ１３を有する折り畳み式であって、例えば本のような形状である。このような携帯型情報機器１は、ディスプレイを、折り畳んだ際の内側に配置し、キーボードを、折り畳んだ際の外側に配置する。折り畳みされる端部はそれぞれ、利用者の手で把持される。利用者から見るディスプレイ１０は、内側にして折り畳んで収納されるために、画面の傷つきや汚れを防止することができる。尚、携帯型情報機器１が折り畳まれた場合、キーボード１１からの入力機能が停止されるようにする。
【００７３】
図８によれば、タッチセンサ１４が、キーボード１１だけでなく、携帯型情報機器１の背面の全体に配置されている。これにより、キーボードだけでなく、ディスプレイ１０の全領域に相当する指の触れ位置を検知し、ディスプレイ１０のアプリケーションイメージ１０１上のポインタイメージ１０３を操作する。
【００７４】
図９は、携帯電話機における入力操作の外観図である。
【００７５】
図９によれば、携帯型情報機器が携帯電話機である場合を表す。図９（ａ）は、携帯電話機の前面図を表す。この前面図によれば、ヒンジ１３を介して折り畳み式であって、両面にディスプレイ１０を配置する。ディスプレイ１０には、キーボードイメージが縮小して表示されている。また、図９（ｂ）によれば、携帯電話機の背面図を表す。この背面図によれば、携帯電話機の背面の表面にキーボードが配置されている。
【００７６】
従来の一般的な携帯電話機は、折り畳み式が多く、利用者の前面に対して、一方の面にディスプレイを配置し、他方の面にテンキーボードを配置する。通常、利用者は、右手の平と親指以外の指とで本体を把持し、右手の親指でテンキーボードを操作する。親指は、横方向へずらす関節の自由度が最も小さいにも拘わらず、キーボードの入力操作には親指が用いられる。しかも、片手で入力される。これに対し、本発明によれば、開いた状態の携帯電話機は、利用者の手の平及び親指によって把持され、背面に配置されたキーボードは、利用者の親指以外の指によって触れ且つ押下される。従って、ディスプレイの表示領域を広く確保することができると共に、背面のキーボードに対して複数の指で押下することができる。
【００７７】
図１０は、本発明におけるウェアラブル機器の外観図である。
【００７８】
図１０によれば、眼鏡型（ヘッドセット型）ウェアラブル機器が表されている。本発明が対象とする情報機器は、前述した実施形態のように、必ずしも、利用者の手によって把持される機器に限らない。
【００７９】
図１０のウェアラブル機器によれば、利用者に対するディスプレイは、ウェアラブル機器の内側（利用者の視界に対向する側）に配置されている。また、押下型入力部は、利用者からは目視できない側部に配置されている。押下型入力部は、図１のキー又は図３のタッチパッドと同様の機能構成を有する。このウェアラブル機器のディスプレイに、側部に配置された押下面の各位置の機能イメージが表示される。また、各機能イメージが対応付けられた機能ポジションに、利用者の指が近接しているかが特定表示される。
【００８０】
図１１は、情報機器に対する入力方法のフローチャートである。このフローチャートの処理手順は、情報機器に搭載されたコンピュータを機能させるプログラムを実行することによって実現されるものであってもよい。
【００８１】
図１１によれば、情報機器は、利用者に対向する画面表示部と、その画面表示部が利用者によって目視されている際にその視界の中で目視されない面に配置された押下型入力部とを有する。
（Ｓ１）画面表示部に、押下型入力部における押下面の各位置の機能イメージを表示する。
（Ｓ２）押下面の表面におけるセンサによって、利用者の指の位置の近接状態を検知する。
（Ｓ３）画面表示部に、機能イメージが対応付けられた機能ポジションに利用者の指が近接しているかを特定表示する。
（Ｓ４）押下面に対する指圧によって、該押下面の物理的押下を検出する。
（Ｓ５）利用者の指が近接している機能ポジションに対応付けられた機能イメージに基づく機能を実行する。
【００８２】
以上、詳細に説明したように、本本発明の携帯型情報機器によれば、ディスプレイの背面、側面及び／又は角部分に、利用者の指で操作可能な押下型入力部を備えることによって、ディスプレイと入力部とが利用者側前面の表面積を取り合うことなく、機器の表面積を最大限利用した表示機能及び入力機能を可能とし、入力部の押下による人間の自然物理的な操作感覚を得られる。利用者は、両手でキーボードを操作することができ、ＱＷＥＲＴＹ配列のキーボードに近い入力操作感覚を得ることができる。
【００８３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８４】
１  携帯型情報機器
１０  ディスプレイ
１００  機能イメージ
１０２  接触ポイント
１０３  ポインタイメージ
１１  押下型入力部、キーボード、タッチパッド
１１１  押下面
１１２  押下検出部
１１３  タッチセンサ
１１４  保護膜
１１５  表示制御部
１１６  姿勢センサ
１１７  弾性部
１２  トラックポイント
１３  折り畳み用ヒンジ
【図１】
2010272111.tif 000003
【図２】
2010272111.tif 000004
【図３】
2010272111.tif 000005
【図４】
2010272111.tif 000006
【図５】
2010272111.tif 000007
【図６】
2010272111.tif 000008
【図７】
2010272111.tif 000009
【図８】
2010272111.tif 000010
【図９】
2010272111.tif 000011
【図１０】
2010272111.tif 000012
【図１１】
2010272111.tif 000013